(57)【要約】【課題】本発明は、モータ駆動スイッチの接点が焼付きを起こした場合でもモータの固定子巻き線が損傷しないようにすることを目的とする。【解決手段】本発明に係るモータ駆動スイッチは、モータの起動操作において、第１接点２１が電源Ｐ側端子（３）に切替わるタイミングは、第２接点２２がアーマチュアＰ側端子（６）に切替わるタイミングよりも早くなるように設定されており、前記モータの起動解除操作で、第２接点２２がアーマチュアＮ側端子（４）に切替わるタイミングは、第１接点２２がアーマチュアＰ側端子（１）に切替わるタイミングより早くなるように設定されている。【選択図】図１
2012050165.tif 000002
【特許請求の範囲】
【請求項１】
モータの固定子巻き線の一端に接続されており、電源のＰ側に接続されている電源Ｐ側端子、あるいはアーマチュアのＰ側に接続されているアーマチュアＰ側端子に切替え可能な第１接点と、前記固定子巻き線の他端に接続されており、前記アーマチュアＰ側端子、あるいはそのアーマチュアのＮ側に接続されているアーマチュアＮ側端子に切替え可能な第２接点とを備え、
前記モータの起動操作で、前記第１接点が電源Ｐ側端子、前記第２接点が前記アーマチュアＰ側端子に切替わり、これにより前記固定子巻き線と前記アーマチュアとが電源のＰ側とＮ側間で直列に接続されて前記モータが起動され、
前記モータの起動解除操作で、前記第１接点が前記アーマチュアＰ側端子、前記第２接点が前記アーマチュアＮ側端子に切替わり、前記固定子巻き線と前記アーマチュアとが閉ループを作って前記モータにブレーキが掛かるように構成されたモータ制御回路において使用されるモータ駆動スイッチであって、
前記モータの起動操作において、前記第１接点が電源Ｐ側端子に切替わるタイミングは、前記第２接点が前記アーマチュアＰ側端子に切替わるタイミングよりも早くなるように設定されており、
前記モータの起動解除操作で、前記第２接点が前記アーマチュアＮ側端子に切替わるタイミングは、前記第１接点が前記アーマチュアＰ側端子に切替わるタイミングより早くなるように設定されていることを特徴とするモータ駆動スイッチ。
【請求項２】
請求項１に記載されたモータ駆動スイッチであって、
停止位置から起動位置までスライドすることでモータの起動操作を行い、前記起動位置から停止位置まで戻ることで前記モータの起動解除操作を行なうトリガを備えており、
前記トリガには、スライド過程で前記第１接点と第２接点とをそれぞれ押圧する第１突起と第２突起とが形成されており、
前記前記第１接点と前記第２接点とは、中央が支点により支持された略円弧形の天秤状に構成されて、前記第１突起、前記第２突起に押圧される位置が変わることで前記支点を中心に回動し、接続が切替わる構成であり、
前記第１突起と前記第２突起とがスライド方向ずれて配置されることで、前記第１接点と前記第２接点との切替えタイミングがずれるように構成されていることを特徴とするモータ駆動スイッチ。
【請求項３】
請求項１に記載されたモータ駆動スイッチであって、
停止位置から起動位置までスライドすることでモータの起動操作を行い、前記起動位置から停止位置まで戻ることで前記モータの起動解除操作を行なうトリガを備えており、
前記トリガには、スライド過程で前記第１接点と第２接点とをそれぞれ押圧する第１突起と第２突起とが形成されており、
前記前記第１接点と前記第２接点とは、中央が支点により支持された略円弧形の天秤状に構成されて、前記第１突起、前記第２突起に押圧される位置が変わることで前記支点を中心に回動し、接続が切替わる構成であり、
前記第１接点と前記第２接点との曲げ位置をスライド方向にずらすことで、前記第１接点と前記第２接点との切替えタイミングがずれるように構成されていることを特徴とするモータ駆動スイッチ。
【請求項４】
請求項１に記載されたモータ駆動スイッチであって、
停止位置から起動位置までスライドすることでモータの起動操作を行い、前記起動位置から停止位置まで戻ることで前記モータの起動解除操作を行なうトリガを備えており、
前記第１接点及び第２接点はケース内に収納されて、そのケースから突出している動作ピンを押圧、あるいは押圧解除することで接続が切替わる構成であり、
前記トリガには、前記第１接点の動作ピンと第２接点の動作ピンとを押圧するための第１押圧面と第２押圧面とがスライド方向にずれた状態で形成されていることを特徴とするモータ駆動スイッチ。
【発明の詳細な説明】
【技術分野】
【０００１】
本発明は、モータ制御回路で使用されるモータ駆動スイッチに関する。
【背景技術】
【０００２】
これに関連するモータ駆動スイッチが特許文献１に記載されている。
このモータ駆動スイッチ１００は、図８（Ａ）に示すように、第１接点１０１と第２接点１０２とからなる二極スイッチであり、モータを駆動させる際に第１接点１０１と第２接点１０２と連動するように構成されている。
モータ駆動スイッチ１００の第１接点１０１は、モータの固定子巻き線１１２の一端（２）に接続されており、電源ＥのＰ側に接続されている電源Ｐ側端子（３）、あるいはアーマチュア１０４のＰ側に接続されているアーマチュアＰ側端子（１）に切替え可能に構成されている。第２接点１０２は、モータの固定子巻き線１１２の他端（５）に接続されており、アーマチュアＰ側端子（６）、あるいはアーマチュア１０４のＮ側に接続されているアーマチュアＮ側端子（４）に切替え可能に構成されている。
そして、モータ駆動スイッチ１００がモータの起動方向に操作されると、図８（Ａ）に示すように、第１接点１０１が電源Ｐ側端子（３）、第２接点１０２がアーマチュアＰ側端子（６）に切替わる。これにより、固定子巻き線１１２とアーマチュア１１４とが電源ＥのＰ端子とＮ端子間で直列に接続されて前記モータが起動される。
また、モータ駆動スイッチ１００がモータの起動解除方向に操作されると、図８（Ｂ）に示すように、第１接点１０１がアーマチュアＰ側端子（１）、第２接点１０２がアーマチュアＮ側端子（４）に切替わり、固定子巻き線１１２とアーマチュア１１４とが閉ループを作って前記モータが発電機のように動作し、ブレーキが掛かるようになる。
ここで、第２接点１０２におけるアーマチュアＮ側端子（４）とアーマチュア１１４のＮ端子間には、ブレーキ電流を制限するための抵抗１１６が設けられている。
【先行技術文献】
【特許文献】
【０００３】
【特許文献１】特開平２−１８４２７９号公報
【発明の開示】
【発明が解決しようとする課題】
【０００４】
前記モータ駆動スイッチ１００では、第１接点１０１と第２接点１０２とほぼ同時に切替わる。このため、仮に第１接点１０１と第２接点１０２とが老朽化等により焼付きが発生する場合に、いずれの位置（１）（３）（４）（６）で、焼付きが発生するかは特定できない。
例えば、図８（Ｃ）に示すように、モータの起動操作時に第１接点１０１において電源Ｐ側端子（３）で焼付きが発生すると、モータ駆動スイッチ１００を起動解除操作して第２接点１０２がアーマチュアＮ側端子（４）に切替わったときに、固定子巻き線１１２に大電流Ｉｍが流れ、固定子巻き線１１２が焼損することがある。
【０００５】
本発明は、上記問題点を解決するためになされたものであり、本発明が解決しようとする課題は、モータ駆動スイッチの接点が焼付きを起こした場合でもモータの固定子巻き線が損傷しないようにすることである。
【課題を解決するための手段】
【０００６】
上記した課題は、各請求項の発明によって解決される。
請求項１の発明は、モータの固定子巻き線の一端に接続されており、電源のＰ側に接続されている電源Ｐ側端子、あるいはアーマチュアのＰ側に接続されているアーマチュアＰ側端子に切替え可能な第１接点と、前記固定子巻き線の他端に接続されており、前記アーマチュアＰ側端子、あるいはそのアーマチュアのＮ側に接続されているアーマチュアＮ側端子に切替え可能な第２接点とを備え、前記モータの起動操作で、前記第１接点が電源Ｐ側端子、前記第２接点が前記アーマチュアＰ側端子に切替わり、これにより前記固定子巻き線と前記アーマチュアとが電源のＰ側とＮ側間で直列に接続されて前記モータが起動され、前記モータの起動解除操作で、前記第１接点が前記アーマチュアＰ側端子、前記第２接点が前記アーマチュアＮ側端子に切替わり、前記固定子巻き線と前記アーマチュアとが閉ループを作って前記モータにブレーキが掛かるように構成されたモータ制御回路において使用されるモータ駆動スイッチであって、  前記モータの起動操作において、前記第１接点が電源Ｐ側端子に切替わるタイミングは、前記第２接点が前記アーマチュアＰ側端子に切替わるタイミングよりも早くなるように設定されており、前記モータの起動解除操作で、前記第２接点が前記アーマチュアＮ側端子に切替わるタイミングは、前記第１接点が前記アーマチュアＰ側端子に切替わるタイミングより早くなるように設定されていることを特徴とする。
【０００７】
本発明によると、モータの起動操作において、第１接点が電源Ｐ側端子に切替わるタイミングは、第２接点がアーマチュアＰ側端子に切替わるタイミングよりも早くなるように設定されている。このため、モータの固定子巻き線とアーマチュアには、第２接点がアーマチュアＰ側端子に切替わったタイミングで電流が流れるようになる。したがって、経時的な接点の焼付きは第２接点とアーマチュアＰ側端子間で発生するようになる。
仮に、第２接点がアーマチュアＰ側端子で焼付いた場合に、モータ駆動スイッチを起動解除操作すると、第１接点は前記アーマチュアＰ側端子に切替わるため、モータの固定子巻き線には電流が流れなくなる。即ち、接点の焼付きによりモータの固定子巻き線に異常電流が流れることがない。
また、モータの起動解除操作では、第２接点がアーマチュアＮ側端子に切替わるタイミングは、前記第１接点が前記アーマチュアＰ側端子に切替わるタイミングより早くなるように設定されている。このため、モータの固定子巻き線とアーマチュアには、第１接点がアーマチュアＰ側端子に切替わったタイミングで電流が流れるようになる。したがって、経時的な接点の焼付きは第１接点とアーマチュアＰ側端子間で発生するようになる。
仮に、第１接点がアーマチュアＰ側端子で焼付いた場合に、モータ駆動スイッチを起動操作すると、第２接点は前記アーマチュアＰ側端子に切替わるため、モータは起動せずに、モータの固定子巻き線には電流が流れなくなる。即ち、接点の焼付きでモータの固定子巻き線に異常電流が流れることがない。
【０００８】
請求項２の発明によると、停止位置から起動位置までスライドすることでモータの起動操作を行い、前記起動位置から停止位置まで戻ることで前記モータの起動解除操作を行なうトリガを備えており、前記トリガには、スライド過程で前記第１接点と第２接点とをそれぞれ押圧する第１突起と第２突起とが形成されており、前記前記第１接点と前記第２接点とは、中央が支点により支持された略円弧形の天秤状に構成されて、前記第１突起、前記第２突起に押圧される位置が変わることで前記支点を中心に回動し、接続が切替わる構成であり、前記第１突起と前記第２突起とがスライド方向ずれて配置されることで、前記第１接点と前記第２接点との切替えタイミングがずれるように構成されていることを特徴とする。
【０００９】
請求項３の発明によると、停止位置から起動位置までスライドすることでモータの起動操作を行い、前記起動位置から停止位置まで戻ることで前記モータの起動解除操作を行なうトリガを備えており、前記トリガには、スライド過程で前記第１接点と第２接点とをそれぞれ押圧する第１突起と第２突起とが形成されており、前記前記第１接点と前記第２接点とは、中央が支点により支持された略円弧形の天秤状に構成されて、前記第１突起、前記第２突起に押圧される位置が変わることで前記支点を中心に回動し、接続が切替わる構成であり、前記第１接点と前記第２接点との曲げ位置をスライド方向にずらすことで、前記第１接点と前記第２接点との切替えタイミングがずれるように構成されていることを特徴とする。
【００１０】
請求項４の発明によると、停止位置から起動位置までスライドすることでモータの起動操作を行い、前記起動位置から停止位置まで戻ることで前記モータの起動解除操作を行なうトリガを備えており、前記第１接点及び第２接点はケース内に収納されて、そのケースから突出している動作ピンを押圧、あるいは押圧解除することで接続が切替わる構成であり、前記トリガには、前記第１接点の動作ピンと第２接点の動作ピンとを押圧するための第１押圧面と第２押圧面とがスライド方向にずれた状態で形成されていることを特徴とする。
【発明の効果】
【００１１】
本発明によると、モータ駆動スイッチが焼き付きを起こしたとしてもモータの固定子巻き線に異常電流が流れることはない。このため、固定子巻き線が損傷することがなく、修理の負担が軽くなる。
【図面の簡単な説明】
【００１２】
【図１】本発明の実施形態１に係るモータ駆動スイッチが起動解除側に切替わった状態を表すモータの制御回路図（Ａ図）、起動解除側から起動側に切替わる途中を表すモータの制御回路図（Ｂ図）、モータ駆動スイッチが起動側に切替わった状態を表すモータの制御回路図（Ｃ図）である。
【図２】モータ駆動スイッチが起動側に切替わった状態を表すモータの制御回路図（Ａ図）、起動側から起動解除側に切替わる途中を表すモータの制御回路図（Ｂ図）、モータ駆動スイッチが起動解除側に切替わった状態を表すモータの制御回路図（Ｃ図）である。
【図３】モータ駆動スイッチの第２接点が焼付いたときの状態を表すモータの制御回路図（Ａ図）（Ｂ図）である。
【図４】モータ駆動スイッチの第１接点が焼付いたときの状態を表すモータの制御回路図（Ａ図）（Ｂ図）である。
【図５】モータ駆動スイッチの動作を表す模式縦断面図（Ａ図）（Ｂ図）、模式横断面図（Ｃ図）、モータ駆動スイッチのトリガの下面図（Ｄ図）である。
【図６】変更例に係るモータ駆動スイッチの第１接点の側面図（Ａ図）、第２接点の側面図（Ｂ図）、第１接点、第２接点の動作タイミングを表す縦断面図（Ｃ図）（Ｄ図）、モータ駆動スイッチのトリガの下面図（Ｅ図）である。
【図７】変更例に係るモータ駆動スイッチのトリガの側面図（Ａ図）、トリガの下面図（Ｂ図）、切替え前のモータ駆動スイッチの側面図（Ｃ図）、Ｃ図の背面図（Ｄ図）、及び切替え後のモータ駆動スイッチの側面図（Ｅ図）である。
【図８】従来のモータ駆動スイッチが起動側に切替わった状態を表すモータの制御回路図（Ａ図）、モータ駆動スイッチが起動解除側に切替わった状態を表すモータの制御回路図（Ｂ図）、第１接点、第２接点が焼付いた状態を表すモータの制御回路図（Ｃ図）である。
【発明を実施するための形態】
【００１３】
［実施形態１］
以下、図１から図７に基づいて、本発明の実施形態１に係るモータ駆動スイッチの説明を行なう。
＜モータ駆動スイッチの概要について＞
先ず、図１（Ａ）〜（Ｃ）に基づいて、モータ駆動スイッチ２０の概要について説明する。
モータ駆動スイッチ２０は、固定子巻き線と電機子（アーマチュア）巻き線とが直列に接続される直巻電動機（以下、モータという）の制御回路１０において使用される２極双投スイッチである。
モータ駆動スイッチ２０は、電動工具本体（図示省略）に取付けられており、トリガ３０（図５参照  後記する）を引き操作することで電動工具本体のモータを起動させ、トリガ３０を戻し操作することで前記モータにブレーキを掛けられるように構成されている。モータ駆動スイッチ２０は、前記トリガ３０の動作に連動する第１接点２１と第２接点２２とを備えている。そして、第１接点２１の固定端がモータの固定子巻き線１１の一端側端子（２）に接続されており、その第１接点２１の可動端が電源ＥのＰ側に接続されている電源Ｐ側端子（３）、あるいはアーマチュア１４のＰ側に接続されているアーマチュアＰ側端子（１）に切替え可能なように構成されている。また、第２接点２２の固定端がモータの固定子巻き線１１の他端側端子（５）に接続されており、その第２接点２２の可動端がアーマチュアＰ側端子（６）、あるいはアーマチュア１４のＮ側に接続されているアーマチュアＮ側端子（４）に切替え可能なように構成されている。
ここで、第１接点２１が接続されるアーマチュアＰ側端子（１）と第２接点２２が接続されるアーマチュアＰ側端子（６）とは、図１（Ａ）等に示すように、導線によってアーマチュア１４のブラシＰに接続されている。また、アーマチュアＮ側端子（４）は、ブレーキ電流値を制限する抵抗１６を介してアーマチュア１４のブラシＮに接続されている。さらに、電源ＥのＮ端子は、ヒューズ１５を介してアーマチュア１４のブラシＮに接続されている。
【００１４】
上記構成により、図１（Ａ）に示すように、モータが停止している状態で、トリガ３０を引き操作すると、図１（Ｂ）に示すように、最初に第１接点２１の可動端（以下、第１接点２１という）が電源Ｐ側端子（３）に切替わる。次に、図１（Ｃ）、図２（Ａ）に示すように、第２接点２２の可動端（以下、第２接点２２という）がアーマチュアＰ側端子（６）に切替わる。これにより、モータの固定子巻き線１１とアーマチュア１４とが電源ＥのＰ端子とＮ端子間で直列に接続されて前記モータが起動されるようになる。
また、トリガ３０を戻し操作することで、図２（Ｂ）に示すように、最初に第２接点がアーマチュアＮ側端子（４）に切替わり、次に、図２（Ｃ）、図１（Ａ）に示すように、第１接点２１がアーマチュアＰ側端子（１）に切替わるようになる。これにより、固定子巻き線１１とアーマチュア１４と抵抗１６とが閉ループを作り、固定子巻き線１１にブレーキ電流が流れてモータにブレーキが掛かるようになる。そして、ブレーキにより前記モータが停止する。
【００１５】
上記したように、トリガ３０を引き操作するときには、図１に示すように、最初に第１接点２１、次に第２接点２２が切替わるため、第２接点２２がアーマチュアＰ側端子（６）に接続されたタイミングで固定子巻き線１１には電流が流れるようになる。これに対し、第１接点２１が電源Ｐ側端子（３）に接続されたタイミングでは固定子巻き線１１に電流は流れない。このため、経時的に接点の焼付きが発生するとしたら、第２接点２２とアーマチュアＰ側端子（６）との間で発生するようになる。図３（Ａ）に示すように、トリガ３０の引き操作中に、第２接点２２とアーマチュアＰ側端子（６）との間で焼付きが発生した場合には、固定子巻き線１１にはモータの駆動用電流が流れるだけであり、異常電流が流れることはない。
次に、この状態で、トリガ３０を戻し操作すると、図３（Ｂ）に示すように、第１接点２１がアーマチュアＰ側端子（１）に切替わるようになる。図３（Ｂ）に示す状態では、固定子巻き線１１に電圧が加わらないため、その固定子巻き線１１に異常電流が流れることはない。なお、トリガ３０を戻し操作しても、モータにブレーキが掛からないため、異常が発生したことは把握できる。
【００１６】
モータ駆動スイッチ２０が正常な状態でトリガ３０を戻し操作するときは、図２に示すように、最初に第２接点２２、次に第１接点２１が切替わるため、第１接点２１がアーマチュアＰ側端子（１）に接続されたタイミングで固定子巻き線１１には電流が流れるようになる。これに対し、第２接点２２がアーマチュアＮ側端子（４）に接続されたタイミングでは固定子巻き線１１に電流が流れない。このため、トリガ３０の戻し操作により、経時的に接点の焼付きが発生するとしたら、第１接点２１とアーマチュアＰ側端子（１）との間で発生するようになる。図４（Ａ）に示すように、トリガ３０の戻し操作中に、第１接点２１とアーマチュアＰ側端子（１）との間で焼付きが発生した場合には、モータが停止するまで固定子巻き線１１にブレーキ電流が流れるだけであり、その固定子巻き線１１に異常電流が流れることはない。
次に、この状態で、トリガ３０を引き操作すると、図４（Ｂ）に示すように、第２接点２２がアーマチュアＰ側端子（６）に切替わる。図４（Ｂ）に示す状態では、固定子巻き線１１に電圧が加わらないため、その固定子巻き線１１に異常電流が流れることはない。なお、トリガ３０を引き操作しても、モータが回転しないため、異常が発生したことは把握できる。
【００１７】
＜モータ駆動スイッチ２０の構成について＞
モータ駆動スイッチ２０は、図５（Ａ）〜（Ｄ）に示すように、トリガ３０と、スイッチケース３５と、第１接点２１と、第２接点２２とから構成されている。スイッチケース３５には、トリガ３０の操作部３２が前後（図５（Ａ）において左右）にスライド可能なように収納されている。ここで、スイッチケース３５内には、トリガ３０の操作部３２を前方（スイッチケース３５から突出させる方向）に付勢されたコイルバネ（図示省略）が収納されている。
また、スイッチケース３５の下部には、図５（Ｃ）に示すように、左側位置に第１接点２１が接続される端子（１）（２）（３）がトリガ３０のスライド方向（図５（Ａ）参照）に沿って並べて配置されており、右側位置に第２接点２２が接続される端子（４）（５）（６）がトリガ３０のスライド方向に沿って並べられている。
ここで、第１接点２１の端子（１）はアーマチュアＰ側端子（１）、端子（２）は固定子巻き線１１の一端側端子（２）、端子（３）は電源Ｐ側端子（３）に相当する。また、第２接点２２の端子（４）はアーマチュアＮ側端子（４）、端子（５）は固定子巻き線１１の他端側端子（５）、端子（６）はアーマチュアＰ側端子（６）に相当する。
【００１８】
第１接点２１は、図５（Ａ）等に示すように、下側が凸となるように略円弧状に湾曲した帯状の金属板により構成されており、中央が固定端２１ｃ、前端と後端とが可動端２１ｆ，２１ｈとなっている。そして、第１接点２１の中央の固定端２１ｃが端子（２）によって下方から天秤状に支持されている。これにより、第１接点２１が中央の固定端２１ｃ（端子（２））を中心にして前側が低くなるように傾斜すると、図５（Ａ）に示すように、前側の可動端２１ｆが端子（１）に接続され、後側の可動端２１ｈが端子（３）から離れるようになる。即ち、第１接点２１がアーマチュアＰ側端子（１）に切替わるようになる。
また、第１接点２１が中央の固定端２１ｃ（端子（２））を中心にして後側が低くなるように傾斜すると、図５（Ｂ）に示すように、後側の可動端２１ｈが端子（３）に接続され、前側の可動端２１ｆが端子（１）から離れるようになる。即ち、第１接点２１が電源Ｐ側端子（３）に切替わるようになる。
第２接点２２は、同じく下側が凸となるように略円弧状に湾曲した帯状の金属板により構成されており、中央の固定端２２ｃが端子（５）によって下方から天秤状に支持されている。そして、第１接点２１と同様に動作して、第２接点２２の前端と後端とに設けられた可動端２２ｆ，２２ｈがそれぞれ端子（４）、端子（５）に接続可能なように構成されている。
【００１９】
トリガ３０の操作部３２には、第１接点２１に上面を押圧する第１突起３６と第２接点２２の上面を押圧する第２突起３７とが嵌め込まれている。第１突起３６、第２突起３７は、等しい長さのピン状の部材であり、先端が半球状に面取りされた状態で形成されている。そして、第１突起３６、第２突起３７は、それぞれトリガ３０の操作部３２の下面に形成された縦孔に先端が突出した状態で収納されている。ここで、第１突起３６は、図５（Ｄ）に示すように、第２突起３７に対して寸法Ｘだけ後方に位置決めされている。
【００２０】
＜モータ駆動スイッチ２０の動作について＞
トリガ３０が前端位置にある状態では、図５（Ａ）に示すように、第１突起３６が第１接点２１の上面先端を押圧し、第２突起３７が第２接点の上面先端を押圧しているため、第１接点２１は端子（１）に接続されており、第２接点２２が端子（４）に接続されている。即ち、モータの制御回路１０は、図１（Ａ）、図２（Ｃ）に示す状態になる。
この状態からトリガ３０が引き操作されて第１突起３６、第２突起３７がそれぞれ第１接点２１、第２接点２２の上面を後方にスライドすると、前述のように、第１突起３６が第２突起３７に対して寸法Ｘだけ後方に位置決めされているため、第１突起３６が最初に第１接点２１を端子（３）に接続させ、次に第２突起３７が第２接点２２を端子（６）に接続させる。即ち、モータの制御回路１０は、図１（Ｂ）に示す状態から図１（Ｃ）、図２（Ａ）に示す状態になり、モータが起動されるようになる。
また、この状態でトリガ３０が戻し操作されて第１突起３６、第２突起３７がそれぞれ第１接点２１、第２接点２２の上面を前方にスライドすると、第１突起３６よりも前方に位置する第２突起３７が最初に第２接点２２を端子（４）に接続させ、次に第１突起３６が第１接点２１を端子（１）に接続させる。即ち、モータの制御回路１０は、図２（Ｂ）に示す状態から図２（Ｃ）、図１（Ａ）に示す状態になり、固定子巻き線１１にブレーキ電流が流れてモータにブレーキが掛かるようになる。
【００２１】
＜本実施形態に係るモータ駆動スイッチ２０の長所について＞
本実施形態に係るモータ駆動スイッチ２０によると、モータの起動操作において、第１接点２１が電源Ｐ側端子（３）に切替わるタイミングは、図１（Ｂ）に示すように、第２接点２２がアーマチュアＰ側端子（６）に切替わるタイミングよりも早くなるように設定されている。このため、モータの固定子巻き線１１とアーマチュア１４には、第２接点２２がアーマチュアＰ側端子（６）に切替わったタイミングで電流が流れるようになる。したがって、経時的な接点の焼付きは第２接点２２とアーマチュアＰ側端子（６）間で発生するようになる。
仮に、図３（Ａ）に示すように、第２接点２２がアーマチュアＰ側端子（６）で焼付いた場合に、モータ駆動スイッチ２０を起動解除操作すると、図３（Ｂ）に示すように、第１接点２１はアーマチュアＰ側端子（１）に切替わるため、モータの固定子巻き線１１には電流が流れなくなる。即ち、接点の焼付きでモータの固定子巻き線１１に異常電流が流れることがない。
また、モータの起動解除操作では、第２接点２２がアーマチュアＮ側端子（４）に切替わるタイミングは、図２（Ｂ）に示すように、第１接点２１がアーマチュアＰ側端子（１）に切替わるタイミングより早くなるように設定されている。このため、モータの固定子巻き線１１とアーマチュア１４には、第１接点２１がアーマチュアＰ側端子（１）に切替わったタイミングで電流が流れるようになる。したがって、経時的な接点の焼付きは第１接点２１とアーマチュアＰ側端子（１）間で発生するようになる。
仮に、図４（Ａ）に示すように、第１接点２１がアーマチュアＰ側端子（１）で焼付いた場合に、モータ駆動スイッチ２０を起動操作すると、図４（Ｂ）に示すように、第２接点２２はアーマチュアＰ側端子（６）に切替わるため、モータは起動せずに、モータの固定子巻き線１１には電流が流れなくなる。即ち、接点の焼付きでモータの固定子巻き線１１に異常電流が流れることがない。
このため、モータの固定子巻き線が損傷することがなく、修理の負担が軽くなる。
【００２２】
＜変更例＞
ここで、本発明は上記実施形態に限定されるものではなく、本発明の要旨を逸脱しない範囲における変更が可能である。例えば、本実施形態では、第１突起３６と第２突起３７の取付け位置をトリガ３０のスライド方向（前後方向）に寸法Ｘだけずらして第１接点２１と第２接点２２との動作タイミングをずらす例を示した。しかし、第１突起３６と第２突起３７の取付け位置をスライド方向に同位置とし（図６（Ｅ）参照）、第１接点２１と第２接点２２との曲げ位置を前後にずらすことで、第１接点２１と第２接点２２との動作タイミングをずらすことも可能である。
即ち、トリガ３０を後方にスライドさせるときに、図６（Ｃ）に示すように、第１接点２１が第２接点２２に対して寸法Ｘだけ手前位置で（早く）オン動作するようにし、トリガ３０を前方に戻すときに、図６（Ｄ）に示すように、第２接点２２が第１接点２１に対して寸法Ｘだけ後の位置で（早く）オン動作するように構成することも可能である。
【００２３】
また、図７（Ｃ）〜（Ｅ）に示すように、第１接点２１と端子（１）（２）（３）からなる第１スイッチ２１０と、第２接点２２と端子（４）（５）（６）からなる第２スイッチ２２０とを設け、第１スイッチ２１０と第２スイッチ２２０とをトリガ３０により動作させる構成でも可能である。
即ち、第１スイッチ２１０は、第１接点２２と端子（１）（２）（３）とを収納するケース２１ｃを備えており、そのケース２１ｃに動作ピン２１ｐが軸方向に変位可能な状態で装着されている。そして、動作ピン２１ｐがバネ力に抗して押し込まれることで、図７（Ｅ）の下図に示すように、第１接点２１が端子（２）を支点に左回動し、その第１接点２１の可動端が端子（３）に接続される。また、図７（Ｃ）に示すように、バネ力で動作ピン２１ｐがケース２１ｃから所定位置まで突出し、第１接点２１が端子（２）を支点に右回動した状態で、その第１接点２１の可動端が端子（１）に接続される。
第２スイッチ２２０も、第１スイッチ２１０と等しい構造であり、動作ピン２２ｐがバネ力に抗して押し込まれることで、図７（Ｅ）の上図に示すように、第２接点２２の可動端が端子（６）に接続される。また、動作ピン２２ｐがバネ力でケース２１ｃから所定位置まで突出した状態で、第２接点２２の可動端が端子（４）に接続される。
【００２４】
トリガ３０の操作部３２には、スライドする過程で第１スイッチ２１０の動作ピン２１ｐと第２スイッチ２２０の動作ピン２２ｐとを押圧可能に構成された第１押圧面３２ａと第２押圧面３２ｂとが形成されている。
第１押圧面３２ａと第２押圧面３２ｂとは、等しい傾きの傾斜面であり、第１押圧面３２ａが第２押圧面３２ｂよりも後方に寸法Ｘだけ突出した状態で形成されている。このため、トリガ３０の引き操作により、最初に第１押圧面３２ａが第１スイッチ２１０の動作ピン２１ｐを押圧し、第１接点２１が端子（３）に接続される。そして、次に、第２押圧面３２ｂが第２スイッチ２２０の動作ピン２２ｐを押圧し、第２接点２２が端子（６）に接続される。
また、トリガ３０の戻し操作により、最初に第２押圧面３２ｂが第２スイッチ２２０の動作ピン２２ｐから離れて、第２接点２２が端子（４）に接続される。次に、第１押圧面３２ａが第１スイッチ２１０の動作ピン２１ｐから離れ、第１接点２１が端子（１）に接続されるようになる。
【符号の説明】
【００２５】
１１・・・固定子巻き線
１４・・・アーマチュア
２０・・・モータ駆動スイッチ
２１・・・第１接点
（１）端子・・アーマチュアＰ側端子
（２）端子・・固定子巻き線の一端側端子
（３）端子・・電源Ｐ側端子
２２・・・第２接点
（４）端子・・アーマチュアＮ側端子
（５）端子・・固定子巻き線の他端側端子
（６）端子・・アーマチュアＰ側端子
３０・・・トリガ
３２・・・操作部
３６・・・第１突起
３７・・・第２突起
【図１】
2012050165.tif 000003
【図２】
2012050165.tif 000004
【図３】
2012050165.tif 000005
【図４】
2012050165.tif 000006
【図５】
2012050165.tif 000007
【図６】
2012050165.tif 000008
【図７】
2012050165.tif 000009
【図８】
2012050165.tif 000010